(57)【要約】【課題】ヘルプ情報を予め記録した読み取り専用層及び更新情報を記録することができる書き換え可能層を有する光ディスク、光ディスク装置及び光ディスク装置の制御方法を提供する。【解決手段】光ディスク装置１は、読み取り専用層及び書き換え可能層を有するハイブリッドディスク３に対して情報の記録又は読み取りを行う。また、光ディスク装置１は、光ディスク装置１に関するヘルプ情報を読み取り専用層から読み取り、更新情報を書き換え可能な記録層から読み取り、読み取ったヘルプ情報及び更新情報に基づいてヘルプ情報を更新し、更新後のヘルプ情報に基づきヘルプ機能を提供する。【選択図】図２
2011175705.tif 000002
【特許請求の範囲】
【請求項１】
読み取り専用層及び書き換え可能層を有する光ディスクにおいて、
該読み取り専用層には、情報の記録又は読み取りを行う光ディスク装置の操作方法又は機能に関する情報が記録されていることを特徴とする光ディスク。
【請求項２】
前記書き換え可能層には、前記読み取り専用層から読み取られた操作方法又は機能に関する情報を新しくするための更新情報が記録されていることを特徴とする請求項１記載の光ディスク。
【請求項３】
読み取り専用層及び書き換え可能層を有する光ディスクに対して情報の記録又は読み取りを行う光ディスク装置において、
前記読み取り専用層から読み取った操作方法又は機能に関する情報を出力することを特徴とする光ディスク装置。
【請求項４】
読み取り専用層及び書き換え可能層を有する光ディスクに対して情報の記録又は読み取りを行う光ディスク装置において、
操作方法又は機能に関する情報を新しくするための更新情報を外部から取得する取得手段と、
該取得手段が取得した更新情報を前記書き換え可能層に記録する記録手段と、
前記操作方法又は機能に関する情報及び前記更新情報をそれぞれ前記読み取り専用層及び前記書き換え可能層から読み取る読み取り手段と、
該読み取り手段が読み取った更新情報により、該読み取り手段が読み取った操作方法又は機能に関する情報を更新する更新手段と、
該更新手段が更新した操作方法又は機能に関する情報を出力する手段と
を備えることを特徴とする光ディスク装置。
【請求項５】
読み取り専用層及び書き換え可能層を有する光ディスクに対して情報の記録又は読み取りを行う光ディスク装置の制御方法において、
前記読み取り専用層から読み取った操作方法又は機能に関する情報を出力することを含むことを特徴とする光ディスク装置の制御方法。
【請求項６】
読み取り専用層及び書き換え可能層を有する光ディスクに対して情報の記録又は読み取りを行う光ディスク装置の制御方法において、
操作方法又は機能に関する情報を新しくするための更新情報を外部から取得する取得ステップと、
該取得ステップにて取得した更新情報を前記書き換え可能層に記録する記録ステップと、
前記操作方法又は機能に関する情報及び前記更新情報をそれぞれ前記読み取り専用層及び前記書き換え可能層から読み取る読み取りステップと、
該読み取りステップにて読み取った更新情報により、該読み取りステップにて読み取った操作方法又は機能に関する情報を更新する更新ステップと、
該更新ステップにて更新した操作方法又は機能に関する情報を出力するステップと
を含むことを特徴とする光ディスク装置の制御方法。
【発明の詳細な説明】
【技術分野】
【０００１】
本発明は、光ディスク、光ディスクに対して情報の記録及び読み取りを行う光ディスク装置及び光ディスク装置の制御方法に関する。
【背景技術】
【０００２】
大容量のデータを記録することができる高密度の光ディスクとしてブルーレイディスクが実用化されている。ブルーレイディスクには、例えば、ＢＤ−Ｒ（Blu-ray Disc Recordable）、ＢＤ−ＲＥ（Blu-ray Disc Rewritable）、ＢＤ−ＲＯＭ（Blu-ray Disc Read Only Memory）があり、それぞれ物理規格が異なる。ＢＤ−Ｒは一回のみ記録又は追記が可能の光ディスクであり、ＢＤ−ＲＥは何度も書き換え可能な光ディスクであり、ＢＤ−ＲＯＭは読み出し専用の光ディスクである。
【０００３】
ユーザは、光ディスクに対して情報の記録又は読み取りを行う光ディスク装置の機能又は操作方法が分からなくなったとき、光ディスク装置に組み込まれたヘルプ機能を利用してヘルプ情報をディスプレイに表示させ、知りたい情報を調べることができる。例えばリモコンのボタンの機能を知りたいとき、又は、予約録画の仕方を知りたいときにはユーザは機器の操作パネルに設けられたヘルプボタンを押してヘルプ機能を呼び出した後、ディスプレイに表示される指示に従って操作を行うことにより知りたい情報を得る。ヘルプ機能により提供されるヘルプ情報は、一般的に、写真、イラストを交えて見やすく表示されているため、使用説明書、取り扱い説明書等の紙のマニュアルを読む場合と比較すると、知りたい情報を素早く調べられ、その情報も直感的に理解し易い。ヘルプ機能を備えた光ディスク装置としては、例えば、機器操作の基本説明、機器操作に関わるＦＡＱ、機器に関わる用語集等のヘルプ情報を保存する保存手段を備え、リモコンからのヘルプ表示の指示に従って、保存手段に保存されているヘルプ情報をディスプレイに表示させる光ディスク装置が提案されている（特許文献１参照）。また、光ディスク装置の中にはアニメーションで描写された「博士」と「子供」との会話を通して操作方法を説明し、又は、リモコンのイラストを表示させることでリモコン上の各ボタンの機能を説明する音声付きヘルプ機能を搭載した製品もある。
【先行技術文献】
【特許文献】
【０００４】
【特許文献１】特開２００７−１０４０９６号公報
【発明の概要】
【発明が解決しようとする課題】
【０００５】
しかしながら、上述したヘルプ情報は、通常、機器に内蔵されているハードディスクに保存されているため、ユーザは誤操作によりヘルプ情報を消去してしまう虞がある。
【０００６】
また、装置の高機能化及び機能の拡張に伴いヘルプ情報のデータ量及び更新用の差分ファイルから成る更新情報のデータ量が増加しているため、ハードディスクの記憶容量の中でそれらのデータが占める割合も少なくなく、ハードディスクの記憶容量の有効利用という点では課題がある。
【０００７】
本発明は斯かる事情に鑑みてなされたものであり、その目的は、ヘルプ情報を予め記録した読み取り専用の記録層及び更新情報を記録することができる書き換え可能な記録層を有する光ディスク、光ディスク装置及び光ディスク装置の制御方法を提供することにある。
【課題を解決するための手段】
【０００８】
本発明に係る光ディスクは、読み取り専用層及び書き換え可能層を有する光ディスクにおいて、該読み取り専用層には、情報の記録又は読み取りを行う光ディスク装置の操作方法又は機能に関する情報が記録されていることを特徴とする。
本発明にあっては、光ディスク装置に関するヘルプ情報を記録した光ディスクを提供できる。
【０００９】
本発明に係る光ディスクは、前記書き換え可能層には、前記読み取り専用層から読み取られた操作方法又は機能に関する情報を新しくするための更新情報が記録されていることを特徴とする。
本発明にあっては、光ディスク装置に関するヘルプ情報及びその更新情報を記録した光ディスクを提供できる。
【００１０】
本発明に係る光ディスク装置は、読み取り専用層及び書き換え可能層を有する光ディスクに対して情報の記録又は読み取りを行う光ディスク装置において、前記読み取り専用層から読み取った操作方法又は機能に関する情報を出力することを特徴とする。
本発明にあっては、光ディスクの読み取り専用層にヘルプ情報が記録されており、その読み取り専用層から読み取ったヘルプ情報に基づきヘルプ機能を提供するため、ハードディスクにヘルプ情報を保存しておく必要がなく、ハードディスクの有効利用を図れる。また、ヘルプ情報は読み取り専用層に記録されているため、ユーザにより誤って消去されることもない。
【００１１】
本発明に係る光ディスク装置は、読み取り専用層及び書き換え可能層を有する光ディスクに対して情報の記録又は読み取りを行う光ディスク装置において、操作方法又は機能に関する情報を新しくするための更新情報を外部から取得する取得手段と、該取得手段が取得した更新情報を前記書き換え可能層に記録する記録手段と、前記操作方法又は機能に関する情報及び前記更新情報をそれぞれ前記読み取り専用層及び前記書き換え可能層から読み取る読み取り手段と、該読み取り手段が読み取った更新情報により、該読み取り手段が読み取った操作方法又は機能に関する情報を更新する更新手段と、該更新手段が更新した操作方法又は機能に関する情報を出力する手段とを備えることを特徴とする。
本発明にあっては、光ディスクの読み取り専用層及び書き換え専用層にヘルプ情報及び更新情報が記録されており、その読み取り専用層及び書き換え専用層から読み取ったヘルプ情報及び更新情報に基づきヘルプ情報を更新し、更新後のヘルプ情報に基づきヘルプ機能を提供するため、ハードディスクにヘルプ情報及び更新情報を保存しておく必要がなく、ハードディスクの有効利用を図れる。また、ヘルプ情報は読み取り専用層に記録されているため、ユーザにより誤って消去されることもない。
【００１２】
本発明に係る光ディスクの制御方法は、読み取り専用層及び書き換え可能層を有する光ディスクに対して情報の記録又は読み取りを行う光ディスク装置の制御方法において、前記読み取り専用層から読み取った操作方法又は機能に関する情報を出力することを含むことを特徴とする。
本発明にあっては、光ディスク装置に関するヘルプ情報を光ディスクの読み取り専用層から読み取るため、ハードディスクにヘルプ情報を保存しておく必要がなく、ハードディスクの有効利用を図れる。また、ヘルプ情報は読み取り専用層に記録されているため、ユーザによる誤消去の虞もない。
【００１３】
本発明に係る光ディスクの制御方法は、読み取り専用層及び書き換え可能層を有する光ディスクに対して情報の記録又は読み取りを行う光ディスク装置の制御方法において、操作方法又は機能に関する情報を新しくするための更新情報を外部から取得する取得ステップと、該取得ステップにて取得した更新情報を前記書き換え可能層に記録する記録ステップと、前記操作方法又は機能に関する情報及び前記更新情報をそれぞれ前記読み取り専用層及び前記書き換え可能層から読み取る読み取りステップと、該読み取りステップにて読み取った更新情報により、該読み取りステップにて読み取った操作方法又は機能に関する情報を更新する更新ステップと、該更新ステップにて更新した操作方法又は機能に関する情報を出力するステップとを含むことを特徴とする。
本発明にあっては、光ディスク装置に関するヘルプ情報及び更新情報を光ディスクの読み取り専用層及び書き換え専用層から読み取るため、ハードディスクにヘルプ情報及び更新情報を保存しておく必要がなく、ハードディスクの有効利用を図れる。また、ヘルプ情報は読み取り専用層に記録されているため、ユーザにより誤消去の虞もない。
【発明の効果】
【００１４】
本発明の光ディスク（以下、「ハイブリッドディスク」という。）は、光ディスク装置のヘルプ情報を読み取り専用層に記録し、ヘルプ情報の更新情報を書き換え可能層に記録する。また、本発明の光ディスク装置は、読み取り専用層及び書き換え可能層を有するハイブリッドディスクを利用して、予めハイブリッドディスクの読み取り専用層に記録されているヘルプ情報を読み取り、ユーザにヘルプ機能を提供する一方、ヘルプ情報の更新情報を同じハイブリッドディスクの書き換え可能層に記録する構成をとる。
本発明によれば、ハードディスクにヘルプ情報及び更新情報を保存しておく必要がなくなり、かつ、ヘルプ情報の誤消去の心配もない。さらに、ハードディスクをヘルプ情報及び更新情報を保存するために利用しないため、ハードディスクの有効利用を図ることができる。
【図面の簡単な説明】
【００１５】
【図１】実施の形態に係る光ディスク装置の外観を示す説明図である。
【図２】実施の形態に係る光ディスク装置の構成例を示すブロック図である。
【図３】光ピックアップ部の構成例を示すブロック図である。
【図４】実施の形態で用いられるハイブリッドディスクを模式的に示す断面図である。
【図５】読み取り専用層及び書き換え可能層に記録されるデータを模式的に示す説明図である。
【図６】実施の形態に係る光ディスク装置によるハイブリッドディスクに対する記録処理の流れを示すフローチャートである。
【図７】実施の形態に係る光ディスク装置におけるヘルプ機能の呼び出し処理の流れを示すフローチャートである。
【発明を実施するための形態】
【００１６】
以下、図面を参照して実施の形態を具体的に説明する。
図１は、実施の形態に係る光ディスク装置１の外観を示す説明図である。
図１に示す例では、光ディスク装置１が映像表示装置８に接続されている。光ディスク装置１は、ハイブリッドディスク３に対して映像コンテンツを記録及び再生できる装置である。ここで、映像コンテンツとは、画像のみからなるコンテンツ、又は画像及び音声からなるコンテンツのことである。本実施形態における映像コンテンツは、ユーザが光ディスク装置１の操作方法に関して困った時に正しい操作方法を映像、音声等でガイダンスするヘルプ機能を提供するコンテンツであり、それは光ディスク装置１のヘルプ機能に対応するヘルプ情報である。光ディスク装置１に接続されている映像表示装置８は、光ディスク装置１から画像信号及び音声信号を受け取り、ディスプレイに画像を表示し、スピーカから音声を出力する。尚、光ディスク装置１は、パーソナルコンピュータ、ゲーム機器等に接続される装置又はそれらに内蔵される装置であってもよい。
【００１７】
ユーザ操作部７は、光ディスク装置１を操作するための操作部であり、例えば、光ディスク装置１の前面に設けられた操作部又は遠隔操作のためのリモートコントローラである。ユーザ操作部７には使用者によって押圧される各種の操作ボタンが設けられている。ユーザ操作部７は、使用者により押圧された操作ボタンに対応する操作信号を光ディスク装置１に出力する。ユーザは、ユーザ操作部７を使用して、例えば、光ディスク装置１に対して映像コンテンツの再生、停止等の動作を指示する。
【００１８】
図２は、実施の形態に係る光ディスク装置１の構成例を示すブロック図である。
図２に示すように、光ディスク装置１は、システム制御部１１、映像コンテンツ表示部１３、記憶部１４、アンテナ９、チューナ部１６、トランスポート処理部１７、衛星ダウンロードデータ取得部１８及び光ディスクドライブ装置１５を備える。また、光ディスク装置１は、ディスプレイ８０及びスピーカ８１を含む映像表示装置８、及びユーザ操作部７との間で信号の送受信を行う。
まず、光ディスクドライブ装置１５の構成例について説明する。
【００１９】
光ディスクドライブ装置１５は、ドライブ制御部１５０、信号記録／信号読み取り部１５１、ディスク判別部１５２、光ピックアップ部１５３及びインタフェース部１５４を備える。信号記録／信号読み取り部１５１は、信号記録部６０及び信号読み取り部６１から構成される。ハイブリッドディスク３は、光ディスクドライブ装置１５に装着される。
【００２０】
ドライブ制御部１５０は、インタフェース部１５４を介してシステム制御部１１から受け付けたコマンドに基づいて、光ディスクドライブ装置１５内の各部を制御することにより、ハイブリッドディスク３に対するデータの記録処理及び読み取り処理を制御する。すなわち、ドライブ制御部１５０は、図示しないＲＡＭ（Random Access Memory）を作業領域として用い、図示しないＲＯＭ（Read Only Memory）に記録されている各種情報に従って、光ディスクドライブ装置１５内の各部の動作を直接的に制御する。また、ドライブ制御部１５０は、光ディスクドライブ装置１５内の各部の作動状態及びハイブリッドディスク３に関する情報を示す制御信号を、インタフェース部１５４を介してシステム制御部１１へ出力する。
【００２１】
信号記録／信号読み取り部１５１内の信号記録部６０は、ドライブ制御部１５０から記録対象のデータおよび記録位置の情報を受け取り、ハイブリッドディスク３のＢＤ−ＲＥ層の記録位置にデータが記録されるように光ピックアップ部１５３を制御する。
信号記録／信号読み取り部１５１内の信号読み取り部６１は、ドライブ制御部１５０から読み取り位置の情報を受け取り、その読み取り位置からデータを読み取るように光ピックアップ部１５３を制御する。そして、信号読み取り部６１は、検知した反射光に基づき読み取ったデータをドライブ制御部１５０に出力する。
ディスク判別部１５２は、システム制御部１１からディスクの種別判定の指示を受け取とると、ハイブリッドディスク３からディスクの種別情報を読み出すように光ピックアップ部１５３を制御する。ディスク種別の判別方法については後述する。
【００２２】
光ピックアップ部１５３は、信号記録部６０からの制御に基づいてレーザ光をハイブリッドディスク３の記録位置に向けて照射することによりデータを記録する。また、光ピックアップ部１５３は、信号読み取り部６１からの制御に基づいてレーザ光をハイブリッドディスク３の読み取り位置に向けて照射し、反射光を信号読み取り部６１に検知させる。同様に、光ピックアップ部１５３は、ディスク判別部１５２からの制御に基づいてレーザ光をハイブリッドディスク３の読み取り位置に向けて照射し、反射光をディスク判別部１５２に検知させる。
インタフェース部１５４は、ドライブ制御部１５０との間でコマンドを介して、データをやりとりするためのインタフェースであり、例えば、ＡＴＡＰＩ（AT Attachment Packet Interface）を使用することができる。ＡＴＡＰＩでは、光ディスクに割り当てられたファイル名を指定することでデータの記録及び再生が行える仕様となっている。
光ディスクドライブ装置１５にハイブリッドディスク３が装着されると、光ディスクドライブ装置１５は、ユーザの操作に従ってハイブリッドディスク３に対するデータの記録処理又は読み取り処理を実行する。
【００２３】
図３は、光ピックアップ部１５３の構成例を示すブロック図である。
光ピックアップ部１５３は、光ピックアップ４、アナログ信号処理回路５、光ピックアップ制御部６及びスピンドルモータ２を備える。
【００２４】
光ピックアップ４は、光ビームを出力する光ビーム出力部４６と、光ビームをハイブリッドディスク３に集光させるための対物レンズ４１ａと、ハイブリッドディスク３に対して接離する方向へ対物レンズ４１ａを移動させる対物レンズアクチュエータ４１ｂとを備える。なお、光ピックアップ４は、ハイブリッドディスク３の径方向に移動できるよう、図示しない案内軌条に支持されており、図示しない光ピックアップ駆動モータにて、径方向に駆動するように構成されている。
【００２５】
光ビーム出力部４６は、例えば、ＧａＮ（窒化ガリウム）のＩｎ（インジウム）混晶を用いてなるレーザダイオード（LD: Laser Diode）であり、波長４０５ｎｍのレーザ光を出力する。対物レンズ４１ａは、モールド成形された非球面単レンズであり、ＮＡ０．８５の高ＮＡを有している。対物レンズアクチュエータ４１ｂは、例えばマグネット方式の２軸アクチュエータであり、対物レンズ４１ａを支持する弾性体と、対物レンズ４１ａを駆動するための磁石及びコイルとを有しており、コイルへの通電によって、対物レンズ４１ａがハイブリッドディスク３に対して接離するフォーカシング方向、又はトラッキング方向へ移動するように構成されている。
【００２６】
また、光ピックアップ４は、対物レンズ４１ａの光軸上、光ビーム出力部４６と対物レンズ４１ａとの間に、光ビーム出力部４６側から順に配された回折格子４５、偏光ビームスプリッタ４４、球面収差補正機構４３、及び１／４波長板４２を備える。回折格子４５は、対物レンズ４１ａに入射する光ビームを最適化するための光学素子である。偏光ビームスプリッタ４４は、光ビーム出力部４６から出力された光ビームを透過すると共に、ハイブリッドディスク３から反射された光ビームを反射することによって分離する。球面収差補正機構４３は、対物レンズ４１ａの位置によって変化する球面収差、つまりハイブリッドディスク３における集光位置の深さによって変化する球面収差を補正するための補正機構であり、コリメータレンズ４３ａと、コリメータレンズ４３ａの周縁部に設けられた枠部４３ｂと、コリメータレンズ４３ａが対物レンズ４１ａの光軸方向へ移動可能になるように枠部４３ｂを支持する支持軸４３ｃと、コリメータレンズ４３ａを前記光軸方向へ移動させるコリメータレンズ駆動モータ４３ｄとを備える。１／４波長板４２は、直線偏光の光ビームを円偏光に変換し、またハイブリッドディスク３から反射された円偏光の光ビームを直線偏光に変換するための素子であり、該変換によって、偏光ビームスプリッタ４４による光ビームの分離を可能にする。
【００２７】
更に、光ピックアップ４は、偏光ビームスプリッタ４４によって分離された光ビームを受光するための受光光学系４７と、光ビーム受光部４８とを備え、ハイブリッドディスク３に対する合焦制御及びトラッキング制御に必要な信号を得ることができるように構成されている。合焦制御手法としては非点収差法、スポットサイズ検出法、フーコー法等があり、トラッキング制御手法としては、プッシュプル法、差動プッシュプル法、アドバンスドプッシュプル法、新アドバンスドプッシュプル法等がある。
【００２８】
光ビーム受光部４８は、対物レンズ４１ａ及び各層の距離に応じて電圧レベルが変化するフォーカスエラー信号（焦点誤差信号）を生成するためのＦＥＳ（Focus Error Signal）用４分割フォトダイオード（PD:Photo Diode）（図示せず）と、光ビームの集光位置と、トラックとの距離に応じて電圧レベルが変化するトラッキングエラー信号を生成するためのＴＥＳ（Tracking Error Signal）用４分割フォトダイオード（図示せず）とを備え、各フォトダイオードは適宜位置に並置されている。ＦＥＳ用４分割フォトダイオードは、非点収差が与えられた反射光を４分割された各領域で受光し、該反射光の強度に応じた信号をアナログ信号処理回路５へ出力する。同様にＴＥＳ用４分割フォトダイオードは、４分割された各領域で受光した反射光の強度に応じた信号をアナログ信号処理回路５へ出力する。
【００２９】
アナログ信号処理回路５は、ＦＥＳ用４分割フォトダイオードから出力された信号に基づいて、フォーカスエラー信号を生成し、生成されたフォーカスエラー信号を光ピックアップ制御部６へ出力するアナログ信号処理機能を有する。また、アナログ信号処理回路５は、ＦＥＳ用４分割フォトダイオードから出力された信号に基づいて、フォーカストータル信号を生成し、生成されたフォーカストータル信号を光ピックアップ制御部６へ出力する。更に、アナログ信号処理回路５は、ＴＥＳ用４分割フォトダイオードから出力された信号に基づいて、トラッキングエラー信号を生成し、生成したトラッキングエラー信号を光ピックアップ制御部６へ出力する。
【００３０】
光ピックアップ制御部６は、アナログ信号処理回路５から出力されたフォーカスエラー信号、フォーカストータル信号及びトラッキングエラー信号に基づいて、対物レンズアクチュエータ４１ｂ、光ビーム出力部４６、及びコリメータレンズ駆動モータ４３ｄの動作、並びにスピンドルモータ２の回転を制御するように構成されている。該制御方法は公知の技術であるため説明を省略する。
【００３１】
図４は、本実施の形態で用いられるハイブリッドディスク３を模式的に示す断面図である。
ハイブリッドディスク３は、読み取り専用層（以下、「ＲＯＭ層」という。）及び書き換え可能層（以下、「ＲＥ層」という。）を含む多層光ディスクである。ＲＯＭ層は、１回だけデータを書込むことができる記録層であり、ＲＥ層は複数回にわたってデータを書込むことができる記録層である。ＲＥ層は多層化することが可能であり、図５では、一例として、１層のＲＯＭ層３ｃ及び２層のＲＥ層３ａ、３ｂの計３層の記録層を含むハイブリッドディスク３を示す。ＲＥ層を２層設けることによって、１層のＲＥ層を大容量の映像コンテンツを記録する映像コンテンツ専用の書き換え可能な記録層として使用することができる。
【００３２】
ハイブリッドディスク３は、厚さ１．１ｍｍのポリカーボネート基板上に、相変化型の第１のＲＥ層３ａ、第２のＲＥ層３ｂが順に積層成膜され、更に表面側（図５中、下方側）にはＲＯＭ層３ｃが成膜され、各層は厚さ約０．１ｍｍのカバー層で覆われている。第１及び第２のＲＥ層３ａ、３ｂの反射率は、約５〜１２％であり、ＲＯＭ層３ｃの反射率は約１〜３％である。ＲＯＭ層は、ＢＤ規格の光ビームを用いた場合の反射率がＢＤ規格とは１桁以上低い点を除けば、ＲＯＭ規格フォーマットに準拠しており、ＲＯＭと同様の再生制御ができるように構成されている。このように構成されたハイブリッドディスク３は、最表面側にＲＯＭ層３ｃを有し、ＲＯＭ層３ｃよりも深層に第２のＲＥ層３ｂ、最深層に第１のＲＥ層３ａを有している。また、ＲＯＭ層３ｃの反射率は約１〜３％と極めて小さい。
【００３３】
光ディスクドライブ装置１５は、ＲＯＭ層３ｃにアクセスすることができるため、ＲＯＭ層３ｃに記録されたデータを利用することで、光ディスク装置１に新機能を組み込むことが可能になる。
【００３４】
図２に戻って説明すると、光ディスク装置１は、バックエンド部として、システム制御部１１、映像コンテンツ表示部１３、記憶部１４、チューナ部１６、トランスポート処理部１７及び衛星ダウンロードデータ取得部１８及びアンテナ９を備える。また、ハイブリッドディスク３のＲＯＭ層３ｃには、予め、光ディスク装置１のヘルプ機能に対応するヘルプ情報が記録されているものとする。
【００３５】
システム制御部１１は、揮発性メモリ（図示せず）を作業領域として用い、不揮発性メモリ（図示せず）に記録されているコンピュータプログラムと各種情報、及びユーザ操作部７を介して受け付けた操作指示にしたがって、バックエンド部の動作を直接的に制御する。また、システム制御部１１は、光ディスクドライブ装置１５の各部の動作を制御するための制御信号を、インタフェース部１５４を介して、光ディスクドライブ装置１５のドライブ制御部１５０へ出力する。ドライブ制御部１５０は、受け取った制御信号にしたがって光ディスクドライブ装置１５の各部の動作を制御する。即ち、システム制御部１１は、光ディスクドライブ装置１５の各部の動作を間接的に制御する。
チューナ部１６は、アンテナ９において受信したデジタル放送電波を入力し、同調した放送信号を取り出し、この放送信号をＴＳ（Transport Stream：デジタル放送ストリーム）データに変換する。
【００３６】
トランスポート処理部１７は、チューナ部１６から受け取ったＴＳデータを音声データ、映像データ及びその他のデータの３つに分離し、それぞれを、ＭＰＥＧ２音声復調部（図示せず）、ＭＰＥＧ２映像復調部（図示せず）及び衛星ダウンロードデータ取得部１８に出力する。
【００３７】
衛星ダウンロードデータ取得部１８は、デジタル放送電波に含まれる衛星ダウンロードデータを取得し、システム制御部１１に出力する。本実施形態では、衛星ダウンロードデータは、例えば、ヘルプ情報の更新用の差分ファイル（「パッチファイル」ともいう。）である。差分ファイルは、修正又は小規模なバージョンアップを行うために変更点（差分情報）のみを抜き出して列挙したファイルである。不具合の修正や、小規模なバージョンアップなどを行う際に、ソフトウェア全体を入れ替えるのは効率的でない。そこで、修正点だけを抜き出して差分ファイルを作成し、これを既存のソフトウェアに組み込むことで修正を行う。パッチファイルを使って修正することを「パッチを当てる」とも言い、ソフトウェアの分野においては一旦完成したソフトウェアの一部に対して修正等を行う手法として広く用いられている。衛星ダウンロードとは、衛星放送の電波を使用して、装置のソフトウェアを書き換えるための機能である。既存のＢＳアナログ放送では受信機の機能拡張をする必要はなかったが、ＢＳデジタル放送では多種多様なサービス機能を拡張していく予定であるため、受信機がその拡張機能に追従するためには、ソフトウェアの入替えが必要である。そのために、衛星を使った装置のソフトウェアのダウンロードが実施されている。
【００３８】
ソフトウェアをダウンロードし装置のソフトウェアを更新する仕組みは、２つの段階に分かれる。第１の段階は、予めダウンロード用ソフトウェアを送信する時刻をＳＤＴＴ（Software Download Trigger Table）としてＥＰＧ（Electronic Program Guide）の中に盛り込んでおき、各放送局から放送する。第２の段階は、事前に放送しているＳＤＴＴを基に、受信機が自動でソフトウェアの入れ替えを行う。ＳＤＴＴは、所定のデータ構造でセクション化されている。受信機は、セクション内の各設定値に従い、ダウンロード時に細かい制御を行う。このＳＤＴＴは、各受信機メーカで作成される。受信機はＳＤＴＴが自機種に該当するか、既にダウンロードして取り込んでいるかどうか判断して、必要な場合にだけダウンロード予約を行う。本実施形態では、上述した衛星ダウンロードの機能を利用して、ソフトウェアとして、光ディスク装置１の機種のヘルプ機能に対応するヘルプ情報の更新用の差分ファイル、すなわち更新情報だけをダウンロードする。
【００３９】
尚、本実施形態では、光ディスク装置１は衛星ダウンロードを利用して更新用の差分ファイルを取得するが、この手法に限るものでなく、ＵＳＢ（Universal Serial Bus）メモリ、ＣＤ−ＲＯＭ等の可搬式の記録媒体から読み込むことにより取得してもよいし、又はインターネットからダウンロードすることにより取得してもよく、または他の手法によってもよい。
【００４０】
トランスポート処理部１７は、差分ファイルを衛星ダウンロードデータとして分離し、衛星ダウンロードデータ取得部１８に出力する。衛星ダウンロードデータ取得部１８は、受け取った差分ファイルをシステム制御部１１に出力する。
【００４１】
ヘルプ情報の更新用の差分ファイルを受け取ったシステム制御部１１は、差分ファイルを記憶部１４に一旦格納する。そして、ＲＯＭ層３ｃにヘルプ情報を記録しているハイブリッドディスク３が光ディスクドライブ装置１５に装着されている場合、システム制御部１１は、光ディスクドライブ装置１５を制御して、差分ファイルをハイブリッドディスク３のＲＥ層３ａ又は３ｂに記録する。これによって、ＲＯＭ層３ｃにヘルプ情報が記録され、かつ、ＲＥ層３ａ又は３ｂにヘルプ情報の更新用の差分ファイルが記録されたハイブリッドディスク３が得られる。
【００４２】
図５は、ＲＯＭ層３ｃ及びＲＥ層３ａ又は３ｂに記録されるデータを模式的に示す説明図である。
【００４３】
図５Ａは、ＲＯＭ層３ｃにヘルプ情報が記録され、ＲＥ層３ａ又は３ｂに差分ファイルが記録されたハイブリッドディスク３を模式的に示す説明図である。図５Ａにおいては、ＲＯＭ層３ｃの記録領域は、ヘルプ情報が記録されている領域と、未使用領域としてユーザが使用できない領域とに分割されている。また、ＲＥ層３ａ又は３ｂの記録領域は、差分ファイルが記録されている領域と、ユーザが自由に使用できる領域とに分割されている。この例では、常に、差分ファイルがＲＥ層３ａ又は３ｂに記録されるものとしたが、ＲＥ層３ａ又は３ｂに差分ファイルを記録するか否かをユーザが選択できるようにしてもよい。
【００４４】
図５Ｂは、ＲＯＭ層３ｃにヘルプ情報が記録されており、ＲＥ層３ａ又は３ｂには差分ファイルが記録されていないハイブリッドディスク３を模式的に示す説明図である。
図５Ｂにおいては、ＲＯＭ層３ｃの記録領域は、ヘルプ情報が記録されている領域と、未使用領域としてユーザが使用できない領域とに分割されている。また、ＲＥ層３ａ又は３ｂの記録領域は、ユーザが自由に使用できる領域のみからなる。
差分ファイルをＲＥ層３ａ又は３ｂに記録するか否かを選択できるようにすると、ユーザはＲＥ層３ａ又は３ｂを目的に応じて自由に使用できるようになる。また、ユーザは、随時、ＲＥ層３ａ又は３ｂに記録された差分ファイルを消去することにより、ＲＥ層３ａ又は３ｂを他のデータを記録するために使用することができる。すなわち、ユーザは、ＲＥ層３ａ又は３ｂを差分ファイルの記録用に用いてもよいし、他のデータの記録用に用いてもよく、ＲＥ層３ａ又は３ｂの用途が広がる。
【００４５】
システム制御部１１は、ヘルプ情報及びその更新用の差分ファイルが記録されたハイブリッドディスク３が光ディスクドライブ装置１５に装着された状態で、ユーザが光ディスク装置１の操作パネルに設けられたヘルプボタンを押してヘルプ機能を呼び出すと、ハイブリッドディスク３のＲＯＭ層３ｃ及びＲＥ層３ａ又は３ｂからヘルプ情報及び差分ファイルを読み取る。次いで、システム制御部１１は、差分ファイルを用いてヘルプ情報に対してパッチを当てることによりヘルプ情報を更新し、更新後のヘルプ情報を記憶部１４に一旦記憶する。次いで、システム制御部１１は、記憶部１４からヘルプ情報を読み込み、映像コンテンツ表示部１３に出力する。映像コンテンツ表示部１３は、受け取ったヘルプ情報をディスプレイ８０及びスピーカ８１に出力する。ここで、映像コンテンツ表示部１３は、受け取ったヘルプ情報のうちの画像データをディスプレイ８０で表示可能なフォーマットに変換しディスプレイ８０へ出力し、ヘルプ情報のうちの音声データをスピーカ８１で出力可能なフォーマットに変換しスピーカ８１へ出力する。こうして、映像表示装置８には、ユーザが呼び出したヘルプ機能が表示され、ユーザは表示されたヘルプ機能が提供するガイダンスに従って、必要なヘルプ情報を得ることができる。
【００４６】
次に、実施の形態に係る光ディスク装置１によるハイブリッドディスク３に対する記録処理について説明する。
ハイブリッドディスク３のＲＯＭ層３ｃには、光ディスク装置１用のヘルプ情報が記録されているとする。光ディスク装置１にハイブリッドディスク３を装着された状態において、光ディスク装置１は、前述したＳＤＴＴをチェックして、ヘルプ情報の更新が必要と判定した場合、予約した時間帯にアップデータ用の差分ファイルをダウンロードし、ハイブリッドディスク３のＲＥ層３ａ又は３ｂに記録する。尚、ユーザは、差分ファイルがダウンロードされないような設定を行うことにより、ＲＥ層３ａ又は３ｂを空き領域として確保しておいてもよい。
【００４７】
図６は、実施の形態に係る光ディスク装置１によるハイブリッドディスク３に対する記録処理の流れを示すフローチャートである。
システム制御部１１は、光ディスクが光ディスクドライブ装置１５に装着されたか否かを検出する（Ｓ６０）。システム制御部１１は、光ディスクが光ディスクドライブ装置１５に装着されている場合（Ｓ６０：ＹＥＳ）、ステップＳ６１の処理に進み、装着されていない場合（Ｓ６０：ＮＯ）、装着されるまで待機する。
【００４８】
システム制御部１１は、ディスク判別部１５２を用いて、装着された光ディスクの種別、すなわち、装着された光ディスクがハイブリッドディスク３であるか否かを判定する（Ｓ６１）。具体的には、システム制御部１１は、光ディスク製造の最終工程で光ディスクの最内周部に設けられたＢＣＡ（Burst Cutting Area：バーストカッティング領域）に含まれるブックタイプフィールドを参照することによって、装着されている光ディスクがハイブリッドディスク３であるか否かを判定する。ブックタイプフィールドには、光ディスクの種類を示すブックタイプ（メディア識別コードともいう）が記録されているため、システム制御部１１は、このブックタイプフィールドに記録されている情報を参照することによって、装着された光ディスクの種類を判別できる。
【００４９】
システム制御部１１は、装着された光ディスクがハイブリッドディスク３である場合（Ｓ６１：ＹＥＳ）、ＲＯＭ層３ｃからコンテンツを読み取り（Ｓ６２）、そのコンテンツがヘルプ情報か否かを判定する（Ｓ６３）。コンテンツがヘルプ情報であると判定した場合（Ｓ６３：ＹＥＳ）、システム制御部１１は、記憶部１４に格納されているＳＤＴＴをチェックし（Ｓ６４）、ヘルプ情報の更新が必要か否かを判定する（Ｓ６５）。システム制御部１１は、ヘルプ情報の更新が必要と判定した場合（Ｓ６５：ＹＥＳ）、予約した時間帯にアップデータ用の差分ファイルをダウンロードする（Ｓ６６）。
【００５０】
次いで、システム制御部１１は、光ディスクドライブ装置１５を駆動し、ＲＥ層３ａ又は３ｂにその差分ファイルを記録する（Ｓ６７）。一方、システム制御部１１は、装着された光ディスクがハイブリッドディスク３でない場合（Ｓ６１：ＮＯ）には、その光ディスク固有の処理を行い（Ｓ６８）、処理を終了する。また、システム制御部１１は、ＲＯＭ層３ｃから読み取ったコンテンツがヘルプ情報でない場合（Ｓ６３：ＮＯ）、そのコンテンツ固有の処理を行い（Ｓ６９）、処理を終了する。また、システム制御部１１は、ヘルプ情報の更新が必要でないと判定した場合（Ｓ６５：ＮＯ）、差分ファイルのダウンロードを行わずに処理を終了する。
【００５１】
次に、実施の形態に係る光ディスク装置１によるハイブリッドディスク３に対するヘルプ機能の呼び出し処理について説明する。
図７は、実施の形態に係る光ディスク装置１におけるヘルプ機能の呼び出し処理の流れを示すフローチャートである。
システム制御部１１は、光ディスクが光ディスクドライブ装置１５に装着されたか否かを検出する（Ｓ７０）。システム制御部１１は、光ディスクが光ディスクドライブ装置１５に装着されている場合（Ｓ７０：ＹＥＳ）、ステップＳ７１の処理に進み、装着されていない場合（Ｓ７０：ＮＯ）、装着されるまで待機する。
システム制御部１１は、装着された光ディスクがハイブリッドディスク３であるか否かを判定する（Ｓ７１）。判定の方法は、図６で示したステップＳ６１での判定方法と同じである。システム制御部１１は、装着された光ディスクがハイブリッドディスク３である場合（Ｓ７１：ＹＥＳ）、ＲＯＭ層３ｃからコンテンツを読み取り（Ｓ７２）、そのコンテンツがヘルプ情報か否かを判定する（Ｓ７３）。システム制御部１１は、コンテンツがヘルプ情報であると判定した場合（Ｓ７３：ＹＥＳ）、ステップＳ７４の処理に進む。尚、ハイブリッドディスク３には、ヘルプ情報の他に更新用の差分ファイルも記録されているものとする。
【００５２】
システム制御部１１は、ヘルプ情報及びその更新用の差分ファイルが記録されたハイブリッドディスク３が光ディスクドライブ装置１５に装着された状態で、ユーザが光ディスク装置１の操作パネルに設けられたヘルプボタンを押してヘルプ機能を呼び出すと（Ｓ７４）、ハイブリッドディスク３のＲＯＭ層３ｃ及びＲＥ層３ａ又は３ｂからヘルプ情報及び差分ファイルを読み取り（Ｓ７５）、差分ファイルを用いてヘルプ情報に対してパッチを当て、ヘルプ情報を更新する（Ｓ７６）。更新後のヘルプ情報を記憶部１４に一旦記憶する。そして、システム制御部１１は、記憶部１４からヘルプ情報を読み込み、映像コンテンツ表示部１３に表示させる（Ｓ７７）。こうして、映像表示装置８には、ユーザが要求するヘルプ機能が提示される。一方、システム制御部１１は、装着された光ディスクがハイブリッドディスク３でない場合（Ｓ７１：ＮＯ）には、その光ディスク固有の処理を行い（Ｓ７８）、処理を終了する。また、システム制御部１１は、ＲＯＭ層３ｃから読み取ったコンテンツがヘルプ情報でない場合（Ｓ７３：ＮＯ）、そのコンテンツ固有の処理を行い（Ｓ７９）、処理を終了する。
【００５３】
以上説明したように、本実施形態では、ハイブリッドディスク３のＲＯＭ層３ｃにはヘルプ情報を記録し、ＲＥ層３ａ又は３ｂには、ヘルプ情報の更新用の差分ファイルを記録する。従来においてヘルプ情報は光ディスク装置１のハードディスクに格納されていたため、ヘルプ情報がユーザにより誤消去される虞があったが、本実施形態によれば、そのような誤消去を防止することができ、さらに、光ディスク装置１のハードディスクの有効利用を図ることができる。
【００５４】
尚、今回開示された実施の形態はすべての点で例示であって、制限的なものではないと考えられるべきである。本発明の範囲は、上記した意味ではなく、特許請求の範囲によって示され、特許請求の範囲と均等の意味及び範囲内でのすべての変更が含まれることが意図される。
【符号の説明】
【００５５】
１  光ディスク装置
３  ハイブリッドディスク
７  ユーザ操作部
８  映像表示装置
１１  システム制御部
１３  映像コンテンツ表示部
１４  記憶部
１５  光ディスクドライブ装置
１６  チューナ部
１７  トランスポート処理部
１８  衛星ダウンロードデータ取得部
【図１】
2011175705.tif 000003
【図２】
2011175705.tif 000004
【図３】
2011175705.tif 000005
【図４】
2011175705.tif 000006
【図５】
2011175705.tif 000007
【図６】
2011175705.tif 000008
【図７】
2011175705.tif 000009